(57)【要約】【課題】装置の小型化を実現する。【解決手段】経路Ｒ１ｙ及びモジュール内経路Ｒａは、記録モジュール５０ａに含まれる複数の吐出口のうち最も下流側にある吐出口と対向する位置から合流位置Ｂ１までの当該経路に沿った距離Ｌが、Ａ４サイズ又はレターサイズの用紙Ｐの用紙長未満となるように、構成されている。制御部１００は、記録モジュール５０ａに供給された用紙Ｐよりも先に合流判定位置Ｅ１を通過させるべき用紙Ｐがあると判断した場合に、記録モジュール５０ａを制御して、記録モジュール５０ａに供給された用紙Ｐを、当該用紙Ｐの先端が経路Ｒ１ｙにおいてローラ対３６ｂよりも上流側に位置する状態で待機させる、待機処理を行う。【選択図】図１
2015123731.tif 000002
【特許請求の範囲】
【請求項１】
液体を吐出するための複数の吐出口を有するヘッド、及び、記録媒体をモジュール内経路に沿って搬送するように構成された個別搬送部をそれぞれ含む、複数の記録モジュールであって、第１記録モジュール及び前記第１記録モジュールとは異なる第２記録モジュールを含む、複数の記録モジュールと、
前記複数の記録モジュールのそれぞれによって記録が行われた記録媒体を受容するように構成された受容部と、
前記第１記録モジュールの前記モジュール内経路から前記受容部に向かって記録媒体が搬送される、第１経路と、
前記第２記録モジュールの前記モジュール内経路から前記受容部に向かって記録媒体が搬送される第２経路であって、当該第２経路の下流部分に前記第１経路と共通の部分である共通部分を含み、前記共通部分の端部に設けられた合流位置において前記第１経路と合流した、第２経路と、
前記共通部分において記録媒体を搬送するように構成された、少なくとも１つの共通搬送部と、
前記複数の記録モジュールを制御する、制御部と、を備え、
前記制御部は、前記少なくとも１つの共通搬送部のうちの最も上流側の前記共通搬送部よりも上流側に定められた合流判定位置に関する情報を記憶しており、
前記第１経路及び前記第１記録モジュールの前記モジュール内経路は、前記第１記録モジュールに含まれる前記複数の吐出口のうち最も下流側にある吐出口と対向する位置から前記合流位置までの当該経路に沿った距離が、前記受容部に受容可能な記録媒体のうちの特定記録媒体における、前記第１記録モジュールの前記モジュール内経路に沿った方向の長さである記録媒体長未満となるように、構成されており、
前記制御部は、
前記第１記録モジュールに供給された記録媒体よりも先に前記合流判定位置を通過させるべき記録媒体があるか否かを判断する、第１判断処理を行い、
前記第１判断処理において前記合流判定位置を先に通過させるべき記録媒体があると判断した場合に、前記第１記録モジュールを制御して、前記第１記録モジュールに供給された記録媒体を、当該記録媒体の先端が前記第１経路において前記最も上流側の共通搬送部よりも上流側に位置する状態で待機させる、待機処理を行う
ことを特徴とする、記録装置。
【請求項２】
前記複数の記録モジュールは、それぞれ、前記ヘッドを支持すると共に前記ヘッドを第１方向に移動させるように構成されたキャリッジを含み、
前記個別搬送部は、記録媒体を前記第１方向と直交する第２方向に間欠的に搬送するように構成されており、
前記制御部は、前記個別搬送部によって記録媒体を前記第２方向に間欠的に搬送させる間欠的搬送動作と、前記間欠的搬送動作の間の記録媒体の搬送停止期間に前記キャリッジを前記第１方向に移動させつつ前記複数の吐出口から液体を吐出させる走査動作とを行うように、前記複数の記録モジュールのそれぞれを制御することを特徴とする、請求項１に記載の記録装置。
【請求項３】
前記制御部は、
前記第１記録モジュールに供給された記録媒体に対して次の前記間欠的搬送動作を行った場合に当該記録媒体の先端が前記合流判定位置に到達するか否かを判断する、第２判断処理を行い、
前記第２判断処理において当該記録媒体の先端が前記合流判定位置に到達すると判断した場合に、前記第１記録モジュールを制御して、前記次の間欠的搬送動作を行わずに、前記待機処理を行う
ことを特徴とする、請求項２に記載の記録装置。
【請求項４】
前記個別搬送部は、前記モジュール内経路において前記ヘッドよりも上流側に配置された、ローラ対を含み、
前記制御部は、
前記第１記録モジュールに供給された記録媒体の後端が、前記第１記録モジュールの前記モジュール内経路において前記ローラ対よりも下流側に位置するか否かを判断する、第３判断処理を行い、
前記第３判断処理において記録媒体の後端が前記第１記録モジュールの前記モジュール内経路において前記ローラ対よりも下流側に位置すると判断した場合に、前記第１記録モジュールを制御して、当該記録媒体の面のうち前記ヘッドと対向する面に対する記録が完了するように前記走査動作を行い、その後、前記待機処理を行うことを特徴とする、請求項２又は３に記載の記録装置。
【請求項５】
前記特定記録媒体がＡ４サイズであることを特徴とする、請求項２〜４のいずれか一項に記載の記録装置。
【請求項６】
前記特定記録媒体がレターサイズであることを特徴とする、請求項２〜４のいずれか一項に記載の記録装置。
【請求項７】
前記制御部は、前記第３判断処理において記録媒体の後端が前記第１記録モジュールの前記モジュール内経路において前記ローラ対よりも下流側に位置しないと判断した場合に、前記第１記録モジュールを制御して、前記走査動作を行わずに、前記待機処理を行うことを特徴とする、請求項４に記載の記録装置。
【請求項８】
前記制御部は、前記待機処理を行った後に、前記第１記録モジュールを制御して、前記走査動作を行うことを特徴とする、請求項７に記載の記録装置。
【請求項９】
前記受容部は、Ａ３サイズの記録媒体を受容可能であることを特徴とする、請求項７又は８に記載の記録装置。
【請求項１０】
前記制御部は、
前記第１記録モジュールに供給された記録媒体の面のうちの前記ヘッドと対向する面に対する記録が完了したか否かを判断する、第４判断処理を行い、  前記第１判断処理において前記合流判定位置を先に通過させるべき記録媒体があると判断した場合、かつ、前記第４判断処理において前記面に対する記録が完了したと判断した場合に、前記待機処理よりも前に、前記第１記録モジュールを制御して、前記第１記録モジュールに供給された記録媒体の先端を、前記第１経路において前記最も上流側の共通搬送部よりも上流側に定められた待機位置に位置付ける、位置付け処理を行う
ことを特徴とする、請求項１〜９のいずれか一項に記載の記録装置。
【請求項１１】
前記複数の記録モジュールは、それぞれ、前記ヘッドを支持すると共に前記ヘッドを第１方向に往復移動させるように構成されたキャリッジを含み、
前記個別搬送部は、記録媒体を前記第１方向と直交する第２方向に間欠的に搬送するように構成されており、
前記制御部は、前記個別搬送部によって記録媒体を前記第２方向に間欠的に搬送させる間欠的搬送動作と、前記間欠的搬送動作の間の記録媒体の搬送停止期間に前記キャリッジを前記第１方向に往復移動させつつ前記複数の吐出口から液体を吐出させる走査動作とを行うように、前記複数の記録モジュールのそれぞれを制御し、
前記ヘッドの可動領域の端部と対向する位置に定められた、フラッシング領域をさらに備え、
前記制御部は、前記待機処理を行う場合に、前記ヘッドを前記フラッシング領域と対向する位置で待機させることを特徴とする、請求項１〜１０のいずれか一項に記載の記録装置。
【請求項１２】
前記制御部は、前記第１経路における記録媒体の位置を把握し、当該把握結果に基づいて、前記第２判断処理を行うことを特徴とする、請求項３に記載の記録装置。
【請求項１３】
前記制御部は、前記第１経路における記録媒体の位置を把握し、当該把握結果に基づいて、前記第３判断処理を行うことを特徴とする、請求項４に記載の記録装置。
【請求項１４】
記録媒体の有無を示す信号を出力するように構成された、センサをさらに備え、
前記制御部は、前記センサから出力された信号に基づいて、前記第１経路における記録媒体の位置を把握することを特徴とする、請求項１２又は１３に記載の記録装置。
【請求項１５】
前記合流判定位置は、前記共通部分において前記合流位置と前記最も上流側の共通搬送部との間に定められていることを特徴とする、請求項１〜１４のいずれか一項に記載の記録装置。
【発明の詳細な説明】
【技術分野】
【０００１】
本発明は、複数の記録モジュールを含む記録装置に関する。
【背景技術】
【０００２】
記録装置において、複数の記録モジュールを含むものが知られている。各記録モジュールは、ヘッド及び個別搬送部を含む。例えば、特許文献１に、３つの記録モジュール（記録部１１，１２，１３）が上下に配置された記録装置が開示されている。特許文献１によると（図１及び要約参照）、各記録部１１，１２，１３の下流に、排出される紙Ｐを一時的に停留する停留部３２，３３，３４が設けられている。各記録部１１〜１３において頁単位で印刷された紙Ｐのうち順番よりも早く仕上がった頁が、停留部３２〜３４に一時的に停留される。
【先行技術文献】
【特許文献】
【０００３】
【特許文献１】特開２００２−３０２３２９号公報
【発明の概要】
【発明が解決しようとする課題】
【０００４】
特許文献１において、各停留部３２〜３４の長さは、段落００２３の「停留部３２，３３，３４は、各記録部１１〜１３から排出された紙Ｐを停留する。」という記載等から、紙Ｐの長さ以上であると推察される。この場合、停留部３２〜３４の長さを紙Ｐの長さ以上に確保する必要があるため、その分記録装置が大型化してしまう。即ち、特許文献１の構成では、装置の小型化を実現し難い。
【０００５】
本発明の目的は、装置の小型化を実現することができる、記録装置を提供することにある。
【課題を解決するための手段】
【０００６】
本発明に係る記録装置は、液体を吐出するための複数の吐出口を有するヘッド、及び、記録媒体をモジュール内経路に沿って搬送するように構成された個別搬送部をそれぞれ含む、複数の記録モジュールであって、第１記録モジュール及び前記第１記録モジュールとは異なる第２記録モジュールを含む、複数の記録モジュールと、前記複数の記録モジュールのそれぞれによって記録が行われた記録媒体を受容するように構成された受容部と、前記第１記録モジュールの前記モジュール内経路から前記受容部に向かって記録媒体が搬送される、第１経路と、前記第２記録モジュールの前記モジュール内経路から前記受容部に向かって記録媒体が搬送される第２経路であって、当該第２経路の下流部分に前記第１経路と共通の部分である共通部分を含み、前記共通部分の端部に設けられた合流位置において前記第１経路と合流した、第２経路と、前記共通部分において記録媒体を搬送するように構成された、少なくとも１つの共通搬送部と、前記複数の記録モジュールを制御する、制御部と、を備え、前記制御部は、前記少なくとも１つの共通搬送部のうちの最も上流側の前記共通搬送部よりも上流側に定められた合流判定位置に関する情報を記憶しており、前記第１経路及び前記第１記録モジュールの前記モジュール内経路は、前記第１記録モジュールに含まれる前記複数の吐出口のうち最も下流側にある吐出口と対向する位置から前記合流位置までの当該経路に沿った距離が、前記受容部に受容可能な記録媒体のうちの特定記録媒体における、前記第１記録モジュールの前記モジュール内経路に沿った方向の長さである記録媒体長未満となるように、構成されており、前記制御部は、前記第１記録モジュールに供給された記録媒体よりも先に前記合流判定位置を通過させるべき記録媒体があるか否かを判断する、第１判断処理を行い、前記第１判断処理において前記合流判定位置を先に通過させるべき記録媒体があると判断した場合に、前記第１記録モジュールを制御して、前記第１記録モジュールに供給された記録媒体を、当該記録媒体の先端が前記第１経路において前記最も上流側の共通搬送部よりも上流側に位置する状態で待機させる、待機処理を行う。
【０００７】
本発明によれば、第１経路及び第１記録モジュールのモジュール内経路は、上記距離が特定記録媒体の記録媒体長未満となるように、構成されている。当該構成により、第１経路を短くすることができるため、装置の小型化を実現することができる。
【０００８】
前記複数の記録モジュールは、それぞれ、前記ヘッドを支持すると共に前記ヘッドを第１方向に移動させるように構成されたキャリッジを含み、前記個別搬送部は、記録媒体を前記第１方向と直交する第２方向に間欠的に搬送するように構成されており、前記制御部は、前記個別搬送部によって記録媒体を前記第２方向に間欠的に搬送させる間欠的搬送動作と、前記間欠的搬送動作の間の記録媒体の搬送停止期間に前記キャリッジを前記第１方向に移動させつつ前記複数の吐出口から液体を吐出させる走査動作とを行うように、前記複数の記録モジュールのそれぞれを制御してよい。本発明によれば、上記のように記録媒体が間欠的に搬送されるシリアル式の記録装置において、装置の小型化を実現することができる。
【０００９】
前記制御部は、前記第１記録モジュールに供給された記録媒体に対して次の前記間欠的搬送動作を行った場合に当該記録媒体の先端が前記合流判定位置に到達するか否かを判断する、第２判断処理を行い、前記第２判断処理において当該記録媒体の先端が前記合流判定位置に到達すると判断した場合に、前記第１記録モジュールを制御して、前記次の間欠的搬送動作を行わずに、前記待機処理を行ってよい。特にシリアル式の記録装置において、上記のような制御を行うことで、装置の小型化を実現しつつ、共通部分においてジャムが生じるのを防止することができる。
【００１０】
前記個別搬送部は、前記モジュール内経路において前記ヘッドよりも上流側に配置された、ローラ対を含み、前記制御部は、前記第１記録モジュールに供給された記録媒体の後端が、前記第１記録モジュールの前記モジュール内経路において前記ローラ対よりも下流側に位置するか否かを判断する、第３判断処理を行い、前記第３判断処理において記録媒体の後端が前記第１記録モジュールの前記モジュール内経路において前記ローラ対よりも下流側に位置すると判断した場合に、前記第１記録モジュールを制御して、当該記録媒体の面のうち前記ヘッドと対向する面に対する記録が完了するように前記走査動作を行い、その後、前記待機処理を行ってよい。第３判断処理において記録媒体の後端が第１記録モジュールのモジュール内経路においてローラ対よりも下流側に位置すると判断されたときに、記録完了前に待機処理を行う場合と、記録完了後に待機処理を行う場合とでは、前者の方が後者よりも記録品質が低下し易い。この理由の１つとして、記録媒体が液体の吸収に伴って変形すること、記録媒体の後端部分が上記ローラ対に挟持されずに自由になっていること等から、待機中に、記録媒体における液体着弾部分の変形が進み、後端部分がヘッドに近づく方向に変形し、ヘッドと記録媒体との間隔が変動し得ることが挙げられる。上記間隔が変動すると、液体着弾精度が低下し、記録品質が低下してしまう。また、待機前の記録画像と待機後の記録画像とで、記録媒体における液体の浸透時間が異なること等から、画像間にズレが生じ得ることも、上記の理由として挙げられる。上記構成によれば、後者を採用したことで、記録品質の低下を抑制することができる。
【００１１】
前記特定記録媒体がＡ４サイズであってよい。この構成によれば、特に汎用サイズであるＡ４サイズの記録媒体を扱う場合に、装置の小型化を実現することができる。
【００１２】
前記特定記録媒体がレターサイズであってよい。この構成によれば、特に汎用サイズであるレターサイズの記録媒体を扱う場合に、装置の小型化を実現することができる。
【００１３】
前記制御部は、前記第３判断処理において記録媒体の後端が前記第１記録モジュールの前記モジュール内経路において前記ローラ対よりも下流側に位置しないと判断した場合に、前記第１記録モジュールを制御して、前記走査動作を行わずに、前記待機処理を行ってよい。第３判断処理において記録媒体の後端が第１記録モジュールのモジュール内経路においてローラ対よりも下流側に位置しないと判断されたときに、走査動作を行った後に待機処理を行う場合と、走査動作を行わずに待機処理を行う場合とでは、前者の方が後者よりも記録品質が低下し易い。この理由の１つとして、前者の場合、記録媒体におけるローラ対よりも下流側において、待機処理前の走査動作によって液体が着弾した部分が、待機処理中に変形し易いことが挙げられる。記録媒体におけるヘッドと対向する部分は、上面をローラやリブで押さえることができないため、記録媒体における他の位置よりも、拘束力が弱く、変形し易い。上記構成によれば、後者を採用したことで、記録媒体における液体着弾済みの部分が変形し難い状態で記録媒体を待機させることができるので、記録品質の低下を抑制することができる。
【００１４】
前記制御部は、前記待機処理を行った後に、前記第１記録モジュールを制御して、前記走査動作を行ってよい。この構成によれば、待機処理後に走査動作によって記録を再開することができる。
【００１５】
前記受容部は、Ａ３サイズの記録媒体を受容可能であってよい。この構成によれば、Ａ３サイズの記録媒体を扱う場合に、装置の小型化や記録品質の低下抑制を実現することができる。
【００１６】
前記制御部は、前記第１記録モジュールに供給された記録媒体の面のうちの前記ヘッドと対向する面に対する記録が完了したか否かを判断する、第４判断処理を行い、前記第１判断処理において前記合流判定位置を先に通過させるべき記録媒体があると判断した場合、かつ、前記第４判断処理において前記面に対する記録が完了したと判断した場合に、前記待機処理よりも前に、前記第１記録モジュールを制御して、前記第１記録モジュールに供給された記録媒体の先端を、前記第１経路において前記最も上流側の共通搬送部よりも上流側に定められた待機位置に位置付ける、位置付け処理を行ってよい。この構成によれば、記録媒体の先端を待機位置に位置付けることで、記録媒体の後端部分における記録媒体供給経路に存在する長さを短くすることができるため、次の記録媒体の供給を速やかに開始することができる。さらに、記録媒体の先端を待機位置に位置付けておくことで、記録媒体を受容部に受容させる動作を速やかに行うことができる。したがって、スループットを向上させることができる。
【００１７】
前記複数の記録モジュールは、それぞれ、前記ヘッドを支持すると共に前記ヘッドを第１方向に往復移動させるように構成されたキャリッジを含み、前記個別搬送部は、記録媒体を前記第１方向と直交する第２方向に間欠的に搬送するように構成されており、前記制御部は、前記個別搬送部によって記録媒体を前記第２方向に間欠的に搬送させる間欠的搬送動作と、前記間欠的搬送動作の間の記録媒体の搬送停止期間に前記キャリッジを前記第１方向に往復移動させつつ前記複数の吐出口から液体を吐出させる走査動作とを行うように、前記複数の記録モジュールのそれぞれを制御し、本発明に係る記録装置は、前記ヘッドの可動領域の端部と対向する位置に定められた、フラッシング領域をさらに備え、前記制御部は、前記待機処理を行う場合に、前記ヘッドを前記フラッシング領域と対向する位置で待機させてよい。この構成によれば、待機中にフラッシングを行うことができる。これにより、メンテナンスに要する時間を低減することができる。
【００１８】
前記制御部は、前記第１経路における記録媒体の位置を把握し、当該把握結果に基づいて、前記第２判断処理を行ってよい。この構成によれば、第２判断処理をより確実に行うことができる。
【００１９】
前記制御部は、前記第１経路における記録媒体の位置を把握し、当該把握結果に基づいて、前記第３判断処理を行ってよい。この構成によれば、第３判断処理をより確実に行うことができる。
【００２０】
本発明に係る記録装置は、記録媒体の有無を示す信号を出力するように構成された、センサをさらに備え、前記制御部は、前記センサから出力された信号に基づいて、前記第１経路における記録媒体の位置を把握してよい。この構成によれば、第２判断処理及び／又は第３判断処理をより精確に行うことができる。
【００２１】
前記合流判定位置は、前記共通部分において前記合流位置と前記最も上流側の共通搬送部との間に定められてよい。この構成によれば、ジャムを防止しつつ、スループットを向上させることができる。
【発明の効果】
【００２２】
本発明によれば、第１経路及び第１記録モジュールのモジュール内経路は、上記距離が特定記録媒体の記録媒体長未満となるように、構成されている。当該構成により、第１経路を短くすることができるため、装置の小型化を実現することができる。
【図面の簡単な説明】
【００２３】
【図１】本発明の第１実施形態に係るインクジェットプリンタの内部を示す概略側面図である。
【図２】図１に示す領域ＩＩの拡大図である。
【図３】図１に示すプリンタに含まれる記録モジュールの平面図である。
【図４】図１に示すプリンタに含まれる記録モジュールの正面図である。
【図５】図１に示すプリンタに含まれる記録モジュールの側面図である。
【図６】図１に示すプリンタの電気的構成を示すブロック図である。
【図７】図１に示すプリンタの制御部が実行する制御内容を示すフロー図である。
【図８】図７に示すＳ３のルーチンを示すフロー図である。
【図９】複数のＡ４サイズ又はレターサイズの用紙に連続して記録が行われる際の、搬送及び記録の状況を示す、タイムチャートである。
【図１０】図１に示すプリンタにおいて各記録モジュールで記録が行われているときの状況を示す、図１に対応する概略側面図である。
【図１１】本発明の第２実施形態に係るインクジェットプリンタの内部を示す、図１に対応する概略側面図である。
【発明を実施するための形態】
【００２４】
以下、本発明の好適な実施の形態について、図面を参照しつつ説明する。
【００２５】
先ず、図１を参照し、本発明の第１実施形態に係るインクジェットプリンタ１の全体構成について説明する。
【００２６】
プリンタ１は、Ｚ字状の断面を有する筐体１ａを含む。筐体１ａの内部空間には、記録モジュール５０ａ〜５０ｄ、搬送ユニット２０、収容部３、受容部４、制御部１００等が配置されている。
【００２７】
記録モジュール５０ａ〜５０ｄは、鉛直方向に並んで配置されている。記録モジュール５０ａ〜５０ｄのうち、記録モジュール５０ａが、収容部３から最も遠くかつ受容部４に最も近い位置にある。記録モジュール５０ａ〜５０ｄのうち、記録モジュール５０ｄが、収容部３に最も近くかつ受容部４から最も遠い位置にある。
【００２８】
記録モジュール５０ａ〜５０ｄは、互いに同じ構成であり、それぞれ１のヘッド５１を含む。筐体１ａには、４つのカートリッジ（図示略）が着脱可能である。各カートリッジは、ブラックインクを貯留し、チューブ及びポンプを介して、対応する１のヘッド５１と接続されている。制御部１００の制御によってポンプが駆動されることで、カートリッジ内のインクがチューブを介してヘッド５１に供給される。
【００２９】
搬送ユニット２０は、記録媒体の一例である用紙Ｐを収容部３から記録モジュール５０ａ〜５０ｄのモジュール内経路Ｒａ〜Ｒｄのいずれかを経由して受容部４まで搬送するように構成されており、上流ユニット２１及び下流ユニット３１を含む。上流ユニット２１は、収容部３から各モジュール内経路Ｒａ〜Ｒｄに向かって用紙Ｐが搬送される経路Ｒ１ｘ〜Ｒ４ｘを形成している。下流ユニット３１は、各モジュール内経路Ｒａ〜Ｒｄの下流端部から受容部４に向かって用紙Ｐが搬送される経路Ｒ１ｙ〜Ｒ４ｙを形成している。
【００３０】
各経路Ｒ１ｘ〜Ｒ４ｘは、収容部３を始点とし、各モジュール内経路Ｒａ〜Ｒｄの上流端部を終点として、収容部３から各モジュール内経路Ｒａ〜Ｒｄの上流端部まで延在している。経路Ｒ１ｘ，Ｒ２ｘは、収容部３から分岐位置Ａ１まで互いに共通の部分を有し、分岐位置Ａ１において分岐して、それぞれ互いに異なるモジュール内経路Ｒａ，Ｒｂに向かう。経路Ｒ２ｘ，Ｒ３ｘは、収容部３から分岐位置Ａ２まで互いに共通の部分を有し、分岐位置Ａ２において分岐して、それぞれ互いに異なるモジュール内経路Ｒｂ，Ｒｃに向かう。経路Ｒ３ｘ，Ｒ４ｘは、収容部３から分岐位置Ａ３まで互いに共通の部分を有し、分岐位置Ａ３において分岐して、それぞれ互いに異なるモジュール内経路Ｒｃ，Ｒｄに向かう。
【００３１】
上流ユニット２１は、給紙ローラ２２、ローラ対２６ａ〜２６ｄ、ガイド２３，２５ａ〜２５ｄ、及び切換部２８ａ〜２８ｃを含む。
【００３２】
給紙ローラ２２は、収容部３内で最も上方にある用紙Ｐと接触する位置に配置されている。給紙ローラ２２は、制御部１００の制御によって給紙モータ２２Ｍ（図６参照）が駆動されることで回転する。これにより、収容部３内で最も上方にある用紙Ｐが収容部３から送り出される。
【００３３】
各ローラ対２６ａ〜２６ｄは、互いに接触する２つのローラを含み、用紙Ｐを当該２つのローラで挟持しつつ搬送するように構成されている。各ローラ対２６ａ〜２６ｄを構成する２つのローラの一方は、駆動ローラであり、制御部１００の制御によって上流搬送モータ２６Ｍ（図６参照）が駆動されることで回転する。各ローラ対２６ａ〜２６ｄを構成する２つのローラの他方は、従動ローラであり、駆動ローラの回転に伴い、駆動ローラと接触しながら駆動ローラと逆の方向に回転する。これにより、給紙ローラ２２によって収容部３から送り出された用紙Ｐがモジュール内経路Ｒａ〜Ｒｄのいずれかに向けて搬送される。ローラ対２６ａ〜２６ｄは、上流搬送モータ２６Ｍによって同期駆動される。
【００３４】
ガイド２３，２５ａ〜２５ｄは、それぞれ、経路Ｒ１ｘ〜Ｒ４ｘを画定するように構成されており、互いに間隙を介して離隔配置された一対の板を含む。ガイド２５ａ〜２５ｄは、それぞれ、水平方向に延在し、経路Ｒ１ｘ〜Ｒ４ｘの下流部分を画定している。ガイド２３は、鉛直方向に対して斜め方向に延在し、経路Ｒ１ｘ〜Ｒ４ｘの上流部分を画定している。ガイド２５ａはガイド２３の収容部３とは反対側の端部に接続し、ガイド２５ｂ〜２５ｄはそれぞれガイド２３の途中部分に接続している。
【００３５】
切換部２８ａ〜２８ｃは、それぞれ、分岐位置Ａ１〜Ａ３に配置されている。切換部２８ａは、分岐位置Ａ１において用紙Ｐの搬送先を経路Ｒ１ｘと経路Ｒ２ｘとのいずれかに切り換えるように構成されている。切換部２８ｂは、分岐位置Ａ２において用紙Ｐの搬送先を経路Ｒ１ｘ，Ｒ２ｘの一方と経路Ｒ３ｘとのいずれかに切り換えるように構成されている。切換部２８ｃは、分岐位置Ａ３において用紙Ｐの搬送先を経路Ｒ１ｘ〜Ｒ３ｘのうちの１つと経路Ｒ４ｘとのいずれかに切り換えるように構成されている。
【００３６】
切換部２８ａ〜２８ｃは、それぞれ、揺動部材２８ａ１〜２８ｃ１（図２参照）及び切換モータ２８ａＭ〜２８ｃＭ（図６参照）を含む。揺動部材２８ａ１〜２８ｃ１は、それぞれ、筐体１ａに形成されたピン１ａ４を中心として揺動可能であり、制御部１００の制御により切換モータ２８ａＭ〜２８ｃＭが駆動されることで、図２に実線で示す第１位置と、図２に破線で示す第２位置とを取り得る。第１位置は、揺動部材２８ａ１〜２８ｃ１の先端がそれぞれガイド２５ｂ，２５ｃ，２５ｄに接触する位置である。第２位置は、揺動部材２８ａ１〜２８ｃ１の先端がガイド２３に接触する位置である。
【００３７】
揺動部材２８ａ１が第１位置にあるとき、分岐位置Ａ１において、経路Ｒ１ｘは開放され、経路Ｒ２ｘは閉塞される。したがって、収容部３から分岐位置Ａ１まで搬送された用紙Ｐは、経路Ｒ１ｘに沿ってモジュール内経路Ｒａに向けて搬送される。揺動部材２８ａ１が第２位置にあるとき、分岐位置Ａ１において、経路Ｒ１ｘは閉塞され、経路Ｒ２ｘは開放される。したがって、収容部３から分岐位置Ａ１まで搬送された用紙Ｐは、経路Ｒ２ｘに沿ってモジュール内経路Ｒｂに向けて搬送される。
【００３８】
揺動部材２８ｂ１が第１位置にあるとき、分岐位置Ａ２において、経路Ｒ１ｘ，Ｒ２ｘは開放され、経路Ｒ３ｘは閉塞される。したがって、収容部３から分岐位置Ａ２まで搬送された用紙Ｐは、経路Ｒ１ｘ，Ｒ２ｘの共通部分に沿って分岐位置Ａ１に向けて搬送される。揺動部材２８ｂ１が第２位置にあるとき、分岐位置Ａ２において、経路Ｒ１ｘ，Ｒ２ｘは閉塞され、経路Ｒ３ｘは開放される。したがって、収容部３から分岐位置Ａ２まで搬送された用紙Ｐは、経路Ｒ３ｘに沿ってモジュール内経路Ｒｃに向けて搬送される。
【００３９】
揺動部材２８ｃ１が第１位置にあるとき、分岐位置Ａ３において、経路Ｒ１ｘ〜Ｒ３ｘは開放され、経路Ｒ４ｘは閉塞される。したがって、収容部３から分岐位置Ａ３まで搬送された用紙Ｐは、経路Ｒ１ｘ〜Ｒ３ｘの共通部分に沿って分岐位置Ａ２に向けて搬送される。揺動部材２８ｃ１が第２位置にあるとき、分岐位置Ａ３において、経路Ｒ１ｘ〜Ｒ３ｘは閉塞され、経路Ｒ４ｘは開放される。したがって、収容部３から分岐位置Ａ３まで搬送された用紙Ｐは、経路Ｒ４ｘに沿ってモジュール内経路Ｒｄに向けて搬送される。
【００４０】
給紙ローラ２２とローラ対２６ｄとの間における、経路Ｒ１ｘ〜Ｒ４ｘの共通部分に対向する位置に、第１センサ５が配置されている。経路Ｒ１ｘ〜Ｒ４ｘの下流端部に対向する位置に、それぞれ、第２センサ６ａ〜６ｄが配置されている。
【００４１】
第１センサ５及び第２センサ６ａ〜６ｄは、それぞれ、第１検知位置５ｐ及び第２検知位置６ａｐ〜６ｄｐにおける用紙Ｐの有無を示す信号を出力するように構成されており、該当する位置に用紙ＰがあるときにＯＮ信号を出力し、該当する位置に用紙ＰがないときにＯＦＦ信号を出力する。第１検知位置５ｐは、給紙ローラ２２とローラ対２６ｄとの間における、経路Ｒ１ｘ〜Ｒ４ｘの共通部分に定められている。第２検知位置６ａｐ〜６ｄｐは、各経路Ｒ１ｘ〜Ｒ４ｘの下流端部近傍に定められている。換言すると、第２検知位置６ａｐ〜６ｄｐは、経路Ｒ１ｘについては当該経路Ｒ１ｘにおける分岐位置Ａ１よりも下流側の部分、経路Ｒ２ｘについては当該経路Ｒ２ｘにおける分岐位置Ａ１よりも下流側の部分、経路Ｒ３ｘについては当該経路Ｒ３ｘにおける分岐位置Ａ２よりも下流側の部分、経路Ｒ４ｘについては当該経路Ｒ４ｘにおける分岐位置Ａ３よりも下流側の部分に定められている。
【００４２】
各センサ５，６ａ〜６ｄは、ＯＮカウンタ及びＯＦＦカウンタを含む。ＯＮカウンタは、ＯＮ信号が出力されてから、上流搬送モータ２６Ｍの回転量に比例したカウンタパルスを発生させて、当該パルス数のカウントを開始し、次にＯＮ信号が出力されたときにカウントをリセットする。ＯＦＦカウンタは、ＯＦＦ信号が出力されてから、上流搬送モータ２６Ｍの回転量に比例したカウンタパルスを発生させて、当該パルス数のカウントを開始し、次にＯＦＦ信号が出力されたときにカウントをリセットする。ＯＮカウンタによるカウントデータは、用紙Ｐの先端が当該センサ５，６ａ〜６ｄの検知位置に到達した時点からの、用紙Ｐの搬送量を示す。ＯＦＦカウンタによるカウントデータは、用紙Ｐの後端が当該センサ５，６ａ〜６ｄの検知位置に到達した時点からの、用紙Ｐの搬送量を示す。
【００４３】
各経路Ｒ１ｙ〜Ｒ４ｙは、各モジュール内経路Ｒａ〜Ｒｄの下流端部を始点とし、受容部４を終点として、各モジュール内経路Ｒａ〜Ｒｄの下流端部から受容部４まで延在している。経路Ｒ１ｙ，Ｒ２ｙは、それぞれ互いに異なるモジュール内経路Ｒａ，Ｒｂの下流端部から延在し、合流位置Ｂ１において合流して、合流位置Ｂ１から受容部４まで互いに共通の部分を有する。経路Ｒ２ｙ，Ｒ３ｙは、それぞれ互いに異なるモジュール内経路Ｒｂ，Ｒｃの下流端部から延在し、合流位置Ｂ２において合流して、合流位置Ｂ２から受容部４まで互いに共通の部分を有する。経路Ｒ３ｙ，Ｒ４ｙは、それぞれ互いに異なるモジュール内経路Ｒｃ，Ｒｄの下流端部から延在し、合流位置Ｂ３において合流して、合流位置Ｂ３から受容部４まで互いに共通の部分を有する。
【００４４】
本実施形態において、記録モジュール５０ａを第１記録モジュール、記録モジュール５０ｂを第２記録モジュール、経路Ｒ１ｙを第１経路、経路Ｒ２ｙを第２経路、合流位置Ｂ１を合流位置、と想定することができる（第１想定）。第１想定において、経路Ｒ２ｙは、当該経路Ｒ２ｙの下流部分に経路Ｒ１ｙと共通の部分である共通部分（合流位置Ｂ１から受容部４までの部分）を含み、当該共通部分の端部に設けられた合流位置Ｂ１において経路Ｒ１ｙと合流している。第１想定では、ローラ対３６ａ,３６ｂが共通搬送部として機能し、ローラ対３６ｂが最も上流側の共通搬送部として機能する。第１想定において、合流判定位置Ｅ１は、経路Ｒ１ｙ，Ｒ２ｙの共通部分において合流位置Ｂ１とローラ対３６ｂとの間に定められている。或いは、本実施形態において、記録モジュール５０ｂを第１記録モジュール、記録モジュール５０ｃを第２記録モジュール、経路Ｒ２ｙを第１経路、経路Ｒ３ｙを第２経路、合流位置Ｂ２を合流位置、と想定することができる（第２想定）。第２想定において、経路Ｒ３ｙは、当該経路Ｒ３ｙの下流部分に経路Ｒ２ｙと共通の部分である共通部分（合流位置Ｂ２から受容部４までの部分）を含み、当該共通部分の端部に設けられた合流位置Ｂ２において経路Ｒ２ｙと分岐している。第２想定では、ローラ対３６ａ〜３６ｃが共通搬送部として機能し、ローラ対３６ｃが最も上流側の共通搬送部として機能する。第２想定において、合流判定位置Ｅ２は、経路Ｒ２ｙ，Ｒ３ｙの共通部分において合流位置Ｂ２とローラ対３６ｃとの間に定められている。或いは、本実施形態において、記録モジュール５０ｃを第１記録モジュール、記録モジュール５０ｄを第２記録モジュール、経路Ｒ３ｙを第１経路、経路Ｒ４ｙを第２経路、合流位置Ｂ３を合流位置、と想定することができる（第３想定）。第３想定において、経路Ｒ４ｙは、当該経路Ｒ４ｙの下流部分に経路Ｒ３ｙと共通の部分である共通部分（合流位置Ｂ３から受容部４までの部分）を含み、当該共通部分の端部に設けられた合流位置Ｂ３において経路Ｒ３ｙと分岐している。第３想定では、ローラ対３６ａ〜３６ｄが共通搬送部として機能し、ローラ対３６ｄが最も上流側の共通搬送部として機能する。第３想定において、合流判定位置Ｅ３は、経路Ｒ３ｙ，Ｒ４ｙの共通部分において合流位置Ｂ３とローラ対３６ｄとの間に定められている。
【００４５】
第１経路及び第１記録モジュールのモジュール内経路（例えば、経路Ｒ１ｙ及びモジュール内経路Ｒａ）は、図１に示すように、第１記録モジュール（例えば、記録モジュール５０ａ）に含まれる複数の吐出口５１ｂ（図３参照）のうち最も下流側にある吐出口５１ｂと対向する位置Ｑから合流位置（例えば、合流位置Ｂ１）までの当該経路に沿った距離Ｌが、Ａ４サイズ又はレターサイズの用紙Ｐの用紙長未満となるように、構成されている。当該距離Ｌの条件は、記録モジュール５０ａ〜５０ｃのそれぞれにおいて成立する。即ち、記録モジュール５０ｂに含まれる複数の吐出口５１ｂのうち最も下流側にある吐出口５１ｂと対向する位置Ｑから合流位置Ｂ２までの、経路Ｒ２ｙ及びモジュール内経路Ｒｂに沿った距離、及び、記録モジュール５０ｃに含まれる複数の吐出口５１ｂのうち最も下流側にある吐出口５１ｂと対向する位置Ｑから合流位置Ｂ３までの、経路Ｒ３ｙ及びモジュール内経路Ｒｃに沿った距離も、Ａ４サイズ又はレターサイズの用紙Ｐの用紙長未満である。
【００４６】
下流ユニット３１は、ローラ対３６ａ〜３６ｅ及びガイド３３，３５ａ〜３５ｄを含む。
【００４７】
各ローラ対３６ａ〜３６ｅは、互いに接触する２つのローラを含み、用紙Ｐを当該２つのローラで挟持しつつ搬送するように構成されている。各ローラ対３６ａ〜３６ｅを構成する２つのローラの一方は、駆動ローラであり、制御部１００の制御によって下流搬送モータ３６Ｍ（図６参照）が駆動されることで回転する。各ローラ対３６ａ〜３６ｅを構成する２つのローラの他方は、従動ローラであり、駆動ローラの回転に伴い、駆動ローラと接触しながら駆動ローラと逆の方向に回転する。これにより、モジュール内経路Ｒａ〜Ｒｄから送り出された用紙Ｐが受容部４に向けて搬送される。ローラ対３６ａ〜３６ｅは、下流搬送モータ３６Ｍによって同期駆動される。
【００４８】
ガイド３３，３５ａ〜３５ｄは、それぞれ、経路Ｒ１ｙ〜Ｒ４ｙを画定するように構成されており、互いに間隙を介して離隔配置された一対の板を含む。ガイド３５ａ〜３５ｄは、それぞれ、水平方向に延在し、経路Ｒ１ｙ〜Ｒ４ｙの上流部分を画定している。ガイド３３は、鉛直方向に対して斜め方向に延在し、経路Ｒ１ｙ〜Ｒ４ｙの下流部分を画定している。ガイド３５ｄはガイド３３の受容部４とは反対側の端部に接続し、ガイド３５ａ〜３５ｃはそれぞれガイド３３の途中部分に接続している。
【００４９】
収容部３及び受容部４は、それぞれ、筐体１ａに対して副走査方向に着脱可能である。収容部３は、上面が開口したトレイからなり、複数の用紙Ｐを収容可能に構成されている。受容部４は、上面が開口したトレイからなり、複数の用紙Ｐを受容可能に構成されている。収容部３及び受容部４は、葉書サイズ、Ａ６サイズ、Ａ４サイズ、レターサイズ、及びＡ３サイズを含む複数種類のサイズの用紙Ｐを、それぞれ収容及び受容可能に構成されている。
【００５０】
本実施形態では、Ａ４サイズ又はレターサイズの用紙Ｐが特定記録媒体に該当する。また、本実施形態では、用紙長（用紙Ｐのモジュール内経路Ｒａ〜Ｒｄに沿った方向Ｄの長さ）が記録媒体長に該当する。
【００５１】
副走査方向は、水平面に平行で、かつ、経路Ｒ１ｘ〜Ｒ４ｘの下流部分、モジュール内経路Ｒａ〜Ｒｄ、及び経路Ｒ１ｙ〜Ｒ４ｙの上流部分と平行な方向である。主走査方向は、水平面に平行で、かつ、副走査方向と直交する方向である。鉛直方向は、副走査方向及び主走査方向と直交する方向である。
【００５２】
制御部１００は、演算処理装置であるＣＰＵ（Central Processing Unit）、ＲＯＭ（Read Only Memory）、ＲＡＭ（Random Access Memory：不揮発性ＲＡＭを含む）、ＡＳＩＣ（Application Specific Integrated Circuit）、Ｉ／Ｆ（Interface）、Ｉ／Ｏ（Input/Output Port）等を含む。ＲＯＭは、ＣＰＵが実行するプログラム、各種固定データ（合流判定位置Ｅ１〜Ｅ３に関する情報を含む。）等を記憶している。ＲＡＭは、プログラム実行時に必要なデータ（画像データ、各種カウンタのカウントデータ、各種制御フラグ等）を一時的に記憶する。ＡＳＩＣは、画像データの書き換えや並び替え（例えば、信号処理や画像処理）を行う。Ｉ／Ｆは、外部装置（例えば、プリンタ１に接続されたＰＣ）とのデータ送受信を行う。Ｉ／Ｏは、各種センサの検出信号の入力／出力を行う。
【００５３】
次いで、図３〜図５を参照し、記録モジュール５０ａ〜５０ｄについて説明する。
【００５４】
各記録モジュール５０ａ〜５０ｄは、ヘッド５１、キャリッジ５２、及び、個別搬送部５３を含む。
【００５５】
ヘッド５１は、シリアルタイプであり、略直方体形状を有し、キャリッジ５２を介して筐体１ａに支持されている。ヘッド５１の上面は、キャリッジ５２に固定されている。ヘッド５１の下面は、複数の吐出口５１ｂが開口した吐出面５１ａである。
【００５６】
キャリッジ５２は、キャリッジ移動部５２ｘによって主走査方向に往復移動可能であり、ヘッド５１を支持すると共にヘッド５１を可動領域５１Ｒ（図４参照）の範囲内で主走査方向に往復移動させるように構成されている。キャリッジ移動部５２ｘは、ガイド５２ｇ１，５２ｇ２、プーリ５２ｐ１，５２ｐ２、ベルト５２ｂ、及び、キャリッジモータ５２Ｍを含む。ガイド５２ｇ１，５２ｇ２は、鉛直方向から見て矩形の形状を有し、副走査方向に互いに離隔している。ガイド５２ｇ１，５２ｇ２は、ヘッド５１の上部を挟むと共に、キャリッジ５２の副走査方向両端を主走査方向にスライド可能に支持している。プーリ５２ｐ１，５２ｐ２は、ガイド５２ｇ２の主走査方向一端及び他端にそれぞれ回転可能に支持されている。プーリ５２ｐ１，５２ｐ２は、直径が互いに同じであり、副走査方向に関して互いに同じ位置に配置されている。ベルト５２ｂは、プーリ５２ｐ１，５２ｐ２に架け渡されたエンドレスベルトであり、プーリ５２ｐ１，５２ｐ２の回転に伴って走行する。キャリッジ５２は、ベルト５２ｂに固定されている。キャリッジモータ５２Ｍは、鉛直方向に長尺な円柱形状を有し、ガイド５２ｇ２の下面に固定されている。キャリッジモータ５２Ｍの回転軸は、プーリ５２ｐ１に取り付けられており、鉛直方向に延在している。
【００５７】
プーリ５２ｐ１は、駆動プーリであり、制御部１００の制御によってキャリッジモータ５２Ｍが駆動されることで正逆回転する。これに伴い、ベルト５２ｂが走行する。プーリ５２ｐ２は、従動プーリであり、ベルト５２ｂの走行に伴って回転する。このようなキャリッジ移動部５２ｘの各部の動作に伴い、キャリッジ５２がヘッド５１を支持しつつ主走査方向に往復移動する。このとき、制御部１００がヘッド５１を制御し、吐出口５１ｂから所望タイミングでインクを吐出させることで、用紙Ｐに画像が記録される。
【００５８】
個別搬送部５３は、用紙Ｐをモジュール内経路Ｒａ〜Ｒｄに沿って方向Ｄに間欠的に搬送するように構成されており、ローラ対５３ａ，５３ｂ及び個別搬送モータ５３Ｍ（図６参照）を含む。ローラ対５３ａ，５３ｂは、制御部１００の制御によって個別搬送モータ５３Ｍが駆動されることで回転する。これにより、用紙Ｐが方向Ｄに搬送される。方向Ｄは、副走査方向に平行で、かつ、モジュール内経路Ｒａ〜Ｒｄの上流から下流に向かう方向である。ローラ対５３ａ，５３ｂは、主走査方向に延在すると共に、副走査方向に関してヘッド５１を挟んでいる。即ち、ローラ対５３ａは、モジュール内経路Ｒａ〜Ｒｄにおいてヘッド５１よりも上流側に配置されており、ローラ対５３ｂは、モジュール内経路Ｒａ〜Ｒｄにおいてヘッド５１よりも下流側に配置されている。
【００５９】
本実施形態では、副走査方向が第１方向、方向Ｄが第２方向に該当する。
【００６０】
ローラ対５３ａ，５３ｂの間であって、吐出面５１ａと対向する位置に、プラテン５４が配置されている。プラテン５４の上面５４ａは、平坦であり、用紙Ｐを下方から支持する。吐出面５１ａと上面５４ａとの間には、記録に適した間隙が形成されている。
【００６１】
ローラ対５３ａ，５３ｂ及びプラテン５４は、一対のフランジ５６によって支持されている。一対のフランジ５６は、副走査方向に延在すると共に、主走査方向に互いに離隔している。
【００６２】
ローラ対５３ｂを構成する２つのローラのうち上方のローラは、複数の拍車を含む拍車ローラである。これにより、ローラ対５３ｂが用紙Ｐを挟持したときに、用紙Ｐに記録された画像が乱れ難い。
【００６３】
制御部１００は、第２センサ６ａ〜６ｄから出力された信号と記録指令に含まれる画像データとに基づいて、個別搬送部５３によって用紙Ｐを方向Ｄに間欠的に搬送させる間欠的搬送動作と、当該間欠的搬送動作の間の用紙Ｐの搬送停止期間にキャリッジ５２を副走査方向に往復移動させつつ吐出口５１ｂからインクを吐出させる走査動作とを行うように、記録モジュール５０ａ〜５０ｄのそれぞれを制御する。具体的には、制御部１００は、第２センサ６ａ〜６ｄのＯＮカウンタによるカウントデータに基づいて、用紙Ｐの先端が第２検知位置６ａｐ〜６ｄｐに到達した時点からの用紙Ｐの搬送量が所定量になったときに、間欠的搬送動作及び走査動作により、記録を開始させる。
【００６４】
ローラ対５３ｂは、ワンウェイローラである。つまり、ローラ対５３ａの回転力はローラ対５３ｂに伝達されるが、ローラ対５３ｂの回転力はローラ対５３ａに伝達されない。したがって、ローラ対５３ｂの連続的駆動によって記録後の用紙Ｐを受容部４に向けて連続的に搬送しつつ、ローラ対５３ａの間欠的駆動によって次の用紙Ｐを当該モジュール内経路Ｒａ〜Ｒｄにおいて間欠的に搬送することができる。これにより、スループットを向上させることができる。なお、本実施形態とは異なり、ローラ対５３ｂがワンウェイローラでなく、ローラ対５３ａ，５３ｂが完全に同期駆動される構成の場合、当該モジュール内経路Ｒａ〜Ｒｄにおいて用紙Ｐの後端がローラ対５３ｂよりも下流側に至る前に、次の用紙Ｐの先端をローラ対５３ａに到達させると、ローラ対５３ａ，５３ｂが共に間欠的に駆動されるため、記録後の用紙Ｐをローラ対５３ａによって受容部４に向けて連続的に搬送することはできない。
【００６５】
また、制御部１００は、ヘッド５１のメンテナンスのため、フラッシング及びキャッピングに係る制御を行う。フラッシングは、記録データとは異なるフラッシングデータに基づいてヘッドのアクチュエータを駆動することにより、フラッシング受け部６０の底壁表面に設けられたフラッシング領域６０Ｒ（図４参照）に向けて、吐出口５１ｂからインクを強制的に吐出させる処理をいう。フラッシング領域６０Ｒは、可動領域５１Ｒの一端と対向する位置に定められている。フラッシングによって、吐出口５１ｂ内の増粘インクや異物（気泡、粉塵等）が排出されることで、吐出性能が回復する。制御部１００は、記録中（例えば、往復の走査動作の終了毎）、後述の待機処理の間、等に、フラッシングに係る制御を行う。キャッピングは、キャップ７０（図４参照）で吐出面５１ａを覆い（即ち、キャップ７０の底壁表面に設けられたキャッピング領域７０Ｒに吐出面５１ａを対向させ、かつ、キャップ７０の側壁を吐出面５１ａに接触させることで）、吐出面５１ａと対向する空間を閉鎖する処理をいう。キャッピングによって、吐出口５１ｂ内の乾燥が防止される。制御部１００は、記録指令の受信が所定時間以上ない場合等に、キャッピングに係る制御を行う。
【００６６】
次いで、図７及び図８を参照し、制御部１００が実行する制御内容について説明する。
【００６７】
制御部１００は、先ず、図７に示すように、外部装置から記録指令を受信したか否かを判断する（Ｓ１）。記録指令を受信していない場合（Ｓ１：ＮＯ）、制御部１００は、Ｓ１の処理を繰り返す。記録指令を受信した場合（Ｓ１：ＹＥＳ）、制御部１００は、ｎ＝１と設定し（Ｓ２）、ｎ枚目の用紙Ｐの供給に係る処理を行う（Ｓ３）。Ｓ３については、図８を参照して、後に詳述する。Ｓ３の後、制御部１００は、Ｓ１で受信した記録指令に基づいて、ｎ＋１枚目の用紙Ｐの記録データがあるか否かを判断する（Ｓ４）。ｎ＋１枚目の用紙Ｐの記録データがない場合（Ｓ４：ＮＯ）、制御部１００は、当該ルーチンを終了する。ｎ＋１枚目の用紙Ｐの記録データがある場合（Ｓ４：ＹＥＳ）、制御部１００は、ｎ＝ｎ＋１と設定し（Ｓ５）、処理をＳ３に戻す。
【００６８】
Ｓ３において、制御部１００は、先ず、図８に示すように、ｎ枚目の用紙Ｐを対応する記録モジュールに向けて搬送する（Ｓ２１）。「対応する記録モジュール」とは、４つの記録モジュール５０ａ〜５０ｄのうちのいずれかである。ｎ枚目の用紙Ｐについての「対応する記録モジュール」が記録モジュール５０ａ〜５０ｄのいずれであるか（即ち、用紙Ｐの供給先）は、以下のとおりである。
【００６９】
記録モジュール５０ａ〜５０ｄは、用紙ＰがＡ４サイズ又はレターサイズの場合、上から順に使用される。具体的には、複数のＡ４サイズ又はレターサイズの用紙Ｐに連続して記録が行われる場合、１枚目の用紙Ｐは記録モジュール５０ａに供給され、２枚目の用紙Ｐは記録モジュール５０ｂに供給され、３枚目の用紙Ｐは記録モジュール５０ｃに供給され、４枚目の用紙Ｐは記録モジュール５０ｄに供給される。即ち、用紙ＰがＡ４サイズ又はレターサイズの場合、ｎ＝４ｍ＋１（ｍは０以上の整数）枚目の用紙Ｐは最上段の記録モジュール５０ａに供給され、ｎ＝４ｍ＋２枚目の用紙Ｐは上から２段目の記録モジュール５０ｂに供給され、ｎ＝４ｍ＋３枚目の用紙Ｐは上から３段目の記録モジュール５０ｃに供給され、ｎ＝４ｍ＋４枚目の用紙Ｐは上から４段目の記録モジュール５０ｄに供給される。図９では、ｎ（ｎ＝１〜８）枚目の用紙を「Ｐｎ」と示している。図１０では、ｎ−１枚目の用紙Ｐｎ−１、ｎ枚目の用紙Ｐｎ、ｎ＋１枚目の用紙Ｐｎ＋１、ｎ＋２枚目の用紙Ｐｎ＋２が、それぞれ記録モジュール５０ａ〜５０ｄに供給されている。
【００７０】
用紙ＰがＡ３サイズの場合は、最上段の記録モジュール５０ａ及び上から３段目の記録モジュール５０ｃが、この順で繰り返し使用される。具体的には、複数のＡ３サイズの用紙Ｐに連続して記録が行われる場合、１枚目の用紙Ｐは記録モジュール５０ａに供給され、２枚目の用紙Ｐは記録モジュール５０ｃに供給され、３枚目の用紙Ｐは記録モジュール５０ａに供給され、４枚目の用紙Ｐは記録モジュール５０ｃに供給される。即ち、用紙ＰがＡ３サイズの場合、ｎ＝４ｍ＋１又は４ｍ＋３枚目の用紙Ｐは最上段の記録モジュール５０ａに供給され、ｎ＝４ｍ＋２又は４ｍ＋４枚目の用紙Ｐは上から３段目の記録モジュール５０ｃに供給される。
【００７１】
いずれの記録モジュールに用紙Ｐを供給するか（即ち、用紙Ｐの供給先）は、制御部１００が、記録指令を受信した後（Ｓ１：ＹＥＳ）、記録指令に含まれる用紙Ｐのサイズ及び枚数の情報と、用紙Ｐのサイズ及び枚数と供給先との対応関係を示すテーブルとを参照して、決定する。上記テーブルは、例えばＲＯＭに記憶されている。
【００７２】
Ｓ２１において、制御部１００は、給紙モータ２２Ｍ、上流搬送モータ２６Ｍ、及び切換モータ２８ａＭ〜２８ｃＭを制御して、収容部３内で最も上方にある用紙Ｐを、ｎ枚目の用紙Ｐとして、経路Ｒ１ｘ〜Ｒ４ｘのいずれかに沿って、対応する記録モジュールに供給する。
【００７３】
Ｓ２１の後、制御部１００は、ｎ枚目の用紙Ｐの先端が、当該記録モジュールに対応する第２検知位置６ａｐ〜６ｄｐに到達したか否かを判断する（Ｓ２２）。先端が第２検知位置６ａｐ〜６ｄｐに到達していない場合（Ｓ２２：ＮＯ）、制御部１００は、Ｓ２２の処理を繰り返す。先端が第２検知位置６ａｐ〜６ｄｐに到達した場合（Ｓ２２：ＹＥＳ）、制御部１００は、ｎ枚目の用紙Ｐが所定量搬送されたか（即ち、「用紙Ｐの先端が第２検知位置６ａｐ〜６ｄｐに到達した時点からの用紙Ｐの搬送量」が「所定の搬送量」に達したか）否かを判断する（Ｓ２３）。上記「用紙Ｐの先端が第２検知位置６ａｐ〜６ｄｐに到達した時点からの用紙Ｐの搬送量」は、第２センサ６ａ〜６ｄのＯＮカウンタによるカウントデータに基づいて算出される。上記「所定の搬送量」は、当該用紙Ｐに記録すべき画像のデータに基づいて決定される。
【００７４】
ｎ枚目の用紙Ｐが所定量搬送されていない場合（Ｓ２３：ＮＯ）、制御部１００は、Ｓ２３の処理を繰り返す。ｎ枚目の用紙Ｐが所定量搬送された場合（Ｓ２３：ＹＥＳ）、制御部１００は、当該用紙Ｐの先端が対応する合流判定位置Ｅ１〜Ｅ３に到達したか（即ち、「用紙Ｐの先端が第２検知位置６ａｐ〜６ｄｐに到達した時点からの用紙Ｐの搬送量」がＬｘに達したか）否かを判断する（Ｓ２４）。「対応する合流判定位置」とは、ｎ枚目の用紙Ｐが受容部４に向けて搬送されるべき経路とｎ枚目以外の用紙Ｐが受容部４に向けて搬送されるべき経路との共通部分において「最も上流側の共通搬送部」よりも上流側に定められた合流判定位置Ｅ１〜Ｅ３をいう。例えば、ｎ枚目の用紙Ｐが記録モジュール５０ａに供給され、ｎ枚目以外の用紙Ｐが記録モジュール５０ｂに供給された場合、「最も上流側の共通搬送部」はローラ対３６ｂであり、「対応する合流判定位置」は合流判定位置Ｅ１である。ｎ枚目の用紙Ｐが記録モジュール５０ｂに供給され、ｎ枚目以外の用紙Ｐが記録モジュール５０ｃに供給された場合、「最も上流側の共通搬送部」はローラ対３６ｃであり、「対応する合流判定位置」は合流判定位置Ｅ２である。ｎ枚目の用紙Ｐが記録モジュール５０ｃに供給され、ｎ枚目以外の用紙Ｐが記録モジュール５０ｄに供給された場合、「最も上流側の共通搬送部」はローラ対３６ｄであり、「対応する合流判定位置」は合流判定位置Ｅ３である。ｎ枚目の用紙Ｐが記録モジュール５０ｄに供給され、ｎ枚目以外の用紙Ｐが記録モジュール５０ａに供給された場合、「最も上流側の共通搬送部」はローラ対３６ｂであり、「対応する合流判定位置」は合流判定位置Ｅ１である。Ｌｘは、第２検知位置６ａｐ〜６ｄｐから対応する合流判定位置Ｅ１〜Ｅ３までの、当該経路に沿った距離である。図１において、Ｌｘは、第２検知位置６ａｐから合流判定位置Ｅ１までの、経路Ｒ１ｘ，Ｒａ，Ｒ１ｙに沿った距離を示す。
【００７５】
先端が対応する合流判定位置Ｅ１〜Ｅ３に到達した場合（Ｓ２４：ＹＥＳ）、制御部１００は、処理をＳ２６に移す。先端が対応する合流判定位置Ｅ１〜Ｅ３に到達していない場合（Ｓ２４：ＮＯ）、制御部１００は、ｎ枚目の用紙Ｐに対して次の間欠的搬送動作を行った場合に当該用紙Ｐの先端が対応する合流判定位置Ｅ１〜Ｅ３に到達するか否かを判断する（Ｓ２５）。
【００７６】
ｎ枚目の用紙Ｐに対して次の間欠的搬送動作を行った場合に当該用紙Ｐの先端が対応する合流判定位置Ｅ１〜Ｅ３に到達しないと判断した場合（Ｓ２５：ＮＯ）、制御部１００は、当該記録モジュール５０ａ〜５０ｄに含まれるヘッド５１及びキャリッジモータ５２Ｍを制御して、走査動作Ｓ２６を行う。
【００７７】
Ｓ２６の後、制御部１００は、ｎ枚目の用紙Ｐの表面（収容部３内において下方を向く面であり、記録時においてヘッド５１と対向する面）に対する記録が完了したか否かを判断する（Ｓ２７）。記録が完了していないと判断した場合（Ｓ２７：ＮＯ）、制御部１００は、当該記録モジュール５０ａ〜５０ｄに含まれる個別搬送モータ５３Ｍを制御して、間欠的搬送動作Ｓ２８を行う。Ｓ２８の後、制御部１００は、処理をＳ２５に戻す。
【００７８】
ｎ枚目の用紙Ｐに対して次の間欠的搬送動作を行った場合に当該用紙Ｐの先端が対応する合流判定位置Ｅ１〜Ｅ３に到達すると判断した場合（Ｓ２５：ＹＥＳ）、制御部１００は、当該用紙Ｐの後端が、当該記録モジュールのモジュール内経路においてローラ対５３ａよりも下流側に位置するか（即ち、「用紙Ｐの後端が第２検知位置６ａｐ〜６ｄｐに到達した時点からの用紙Ｐの搬送量」がＬｙに達したか）否かを判断する（Ｓ２９）。上記「用紙Ｐの後端が第２検知位置６ａｐ〜６ｄｐに到達した時点からの用紙Ｐの搬送量」は、第２センサ６ａ〜６ｄのＯＦＦカウンタによるカウントデータに基づいて算出される。Ｌｙは、第２検知位置６ａｐ〜６ｄｐから当該記録モジュールのローラ対５３ａまで（即ち、ローラ対５３ａを構成する２つのローラの接触点まで）の、当該経路に沿った距離である。図１において、Ｌｙは、第２検知位置６ａｐから記録モジュール５０ａのローラ対５３ａまでの、経路Ｒ１ｘに沿った距離を示す。
【００７９】
ｎ枚目の用紙Ｐの後端が当該記録モジュールのモジュール内経路においてローラ対５３ａよりも下流側に位置しないと判断した場合（Ｓ２９：ＮＯ）、制御部１００は、ｎ枚目の用紙Ｐよりも先に対応する合流判定位置Ｅ１〜Ｅ３を通過させるべき用紙Ｐがあるか否かを判断する（Ｓ３０）。当該判断は、例えば、ｎ枚目の用紙Ｐが記録モジュール５０ｂに供給された場合は、「合流判定位置Ｅ１を、ｎ枚目の用紙Ｐよりも先に、記録モジュール５０ａに供給された用紙Ｐが通過するか否か」という判断と、「合流判定位置Ｅ２を、ｎ枚目の用紙Ｐよりも先に、記録モジュール５０ｃに供給された用紙Ｐが通過するか否か」という判断と、「合流判定位置Ｅ２を、ｎ枚目の用紙Ｐよりも先に、記録モジュール５０ｄに供給された用紙Ｐが通過するか否か」という判断を含む。
【００８０】
ｎ枚目の用紙Ｐよりも先に対応する合流判定位置Ｅ１〜Ｅ３を通過させるべき用紙Ｐがあると判断した場合（Ｓ３０：ＹＥＳ）、制御部１００は、待機処理Ｓ３１を行う。
【００８１】
待機処理は、当該記録モジュールを制御して、ｎ枚目の用紙Ｐを、その先端が当該経路において「最も上流側の共通搬送部」よりも上流側に位置する状態で、待機させる処理をいう。待機処理を行う直前に、ヘッド５１がフラッシング領域６０Ｒ（図４参照）と対向する位置以外の位置にある場合、制御部１００は、キャリッジモータ５２Ｍを制御して、ヘッド５１をフラッシング領域６０Ｒと対向する位置に移動させる。また、制御部１００は、待機処理の間、ヘッド５１をフラッシング領域６０Ｒと対向する位置に保持する。
【００８２】
制御部１００は、待機処理Ｓ３１を行った後、処理をＳ３０に戻す。ｎ枚目の用紙Ｐよりも先に対応する合流判定位置Ｅ１〜Ｅ３を通過させるべき用紙Ｐがないと判断した場合（Ｓ３０：ＮＯ）、制御部１００は、処理をＳ２６に移す。
【００８３】
ｎ枚目の用紙Ｐの後端が当該記録モジュールのモジュール内経路においてローラ対５３ａよりも下流側に位置すると判断した場合（Ｓ２９：ＹＥＳ）、制御部１００は、Ｓ２６と同様の走査動作Ｓ３２を行う。
【００８４】
Ｓ３２の後、制御部１００は、Ｓ３０と同様に、ｎ枚目の用紙Ｐよりも先に対応する合流判定位置Ｅ１〜Ｅ３を通過させるべき用紙Ｐがあるか否かを判断する（Ｓ３３）。ｎ枚目の用紙Ｐよりも先に対応する合流判定位置Ｅ１〜Ｅ３を通過させるべき用紙Ｐがあると判断した場合（Ｓ３３：ＹＥＳ）、制御部１００は、Ｓ３１と同様の待機処理Ｓ３４を行う。
【００８５】
制御部１００は、待機処理Ｓ３４を行った後、処理をＳ３３に戻す。ｎ枚目の用紙Ｐよりも先に対応する合流判定位置Ｅ１〜Ｅ３を通過させるべき用紙Ｐがないと判断した場合（Ｓ３３：ＮＯ）、制御部１００は、処理をＳ２７に移す。
【００８６】
ｎ枚目の用紙Ｐの表面に対する記録が完了したと判断した場合（Ｓ２７：ＹＥＳ）、制御部１００は、Ｓ２４と同様に、当該用紙Ｐの先端が対応する合流判定位置Ｅ１〜Ｅ３に到達したか否かを判断する（Ｓ３５）。先端が対応する合流判定位置に到達した場合（Ｓ３５：ＹＥＳ）、制御部１００は、処理をＳ３７に移す。先端が対応する合流判定位置Ｅ１〜Ｅ３に到達していない場合（Ｓ３５：ＮＯ）、制御部１００は、Ｓ３０，Ｓ３３と同様に、ｎ枚目の用紙Ｐよりも先に対応する合流判定位置Ｅ１〜Ｅ３を通過させるべき用紙Ｐがあるか否かを判断する（Ｓ３６）。ｎ枚目の用紙Ｐよりも先に対応する合流判定位置Ｅ１〜Ｅ３を通過させるべき用紙Ｐがないと判断した場合（Ｓ３６：ＮＯ）、制御部１００は、下流搬送モータ３６Ｍを制御して、ｎ枚目の用紙Ｐを、経路Ｒ１ｙ〜Ｒ４ｙのいずれかに沿って搬送し、受容部４に受容させ（Ｓ３７）、Ｓ３のルーチンを終了する。
【００８７】
ｎ枚目の用紙Ｐよりも先に対応する合流判定位置Ｅ１〜Ｅ３を通過させるべき用紙Ｐがあると判断した場合（Ｓ３６：ＹＥＳ）、制御部１００は、ｎ枚目の用紙Ｐの先端が対応する待機位置Ｃ１〜Ｃ４にあるか（即ち、「用紙Ｐの先端が第２検知位置６ａｐ〜６ｄｐに到達した時点からの用紙Ｐの搬送量」がＬｚに達したか）否かを判断する（Ｓ３８）。Ｌｚは、第２検知位置６ａｐ〜６ｄｐから対応する待機位置Ｃ１〜Ｃ４までの、当該経路に沿った距離である。図１において、Ｌｚは、第２検知位置６ａｐから待機位置Ｃ１までの、経路Ｒ１ｘ，Ｒａ，Ｒ１ｙに沿った距離を示す。
【００８８】
待機位置Ｃ１〜Ｃ４は、図１に示すように、経路Ｒ１ｙ〜Ｒ４ｙのそれぞれにおいて最も上流側の合流位置よりも上流側に定められている。待機位置Ｃ１は、経路Ｒ１ｙにおいて、合流位置Ｂ１の直ぐ上流側に定められている。待機位置Ｃ２は、経路Ｒ２ｙにおいて、合流位置Ｂ２の直ぐ上流側に定められている。待機位置Ｃ３は、経路Ｒ３ｙにおいて、合流位置Ｂ３の直ぐ上流側に定められている。待機位置Ｃ４は、経路Ｒ４ｙにおいて、合流位置Ｂ３よりも上流側に定められている。待機位置Ｃ１〜Ｃ４は、それぞれ、当該経路Ｒ１ｙ〜Ｒ４ｙのうち、水平方向に延在する部分（モジュール内経路Ｒａ〜Ｒｄと同じ面内の部分）に定められている。「対応する待機位置」とは、ｎ枚目の用紙Ｐが搬送されるいずれかの経路Ｒ１ｙ〜Ｒ４ｙに対して定められた待機位置Ｃ１〜Ｃ４である。
【００８９】
ｎ枚目の用紙Ｐの先端が対応する待機位置Ｃ１〜Ｃ４にないと判断した場合（Ｓ３８：ＮＯ）、制御部１００は、当該記録モジュール５０ａ〜５０ｄに含まれる個別搬送モータ５３Ｍを制御して、ｎ枚目の用紙Ｐを方向Ｄに搬送し、当該用紙Ｐの先端を対応する待機位置Ｃ１〜Ｃ４に位置付ける（Ｓ３９）。Ｓ３９の後、制御部１００は、処理をＳ４０に移す。ｎ枚目の用紙Ｐの先端が対応する待機位置Ｃ１〜Ｃ４にあると判断した場合（Ｓ３８：ＹＥＳ）、制御部１００は、Ｓ３１，Ｓ３４と同様の待機処理Ｓ４０を行い、処理をＳ３６に戻す。
【００９０】
用紙ＰがＡ４サイズ又はレターサイズの場合、用紙Ｐの先端が待機位置Ｃ１〜Ｃ４にあるとき、用紙Ｐは吐出面５１ａと対向し、かつ、用紙Ｐの後端は対応する経路Ｒ１ｘ〜Ｒ４ｘにおいて最も下流側にある分岐位置Ａ１〜Ａ３よりも下流側に位置する。
【００９１】
本実施形態では、Ｓ３０，Ｓ３３，Ｓ３６が第１判断処理、Ｓ２５が第２判断処理、Ｓ２９が第３判断処理、Ｓ２８が間欠的搬送動作、Ｓ２６，Ｓ３２が走査動作、Ｓ３１，Ｓ３４，Ｓ４０が待機処理、Ｓ３９が位置付け処理に該当する。
【００９２】
以上に述べたように、本実施形態によると、第１経路及び第１記録モジュールのモジュール内経路（例えば、経路Ｒ１ｙ及びモジュール内経路Ｒａ）は、図１に示すように、第１記録モジュール（例えば、記録モジュール５０ａ）に含まれる複数の吐出口５１ｂ（図３参照）のうち最も下流側にある吐出口５１ｂと対向する位置Ｑから合流位置（例えば、合流位置Ｂ１）までの当該経路に沿った距離Ｌが、Ａ４サイズ又はレターサイズの用紙Ｐの用紙長未満となるように、構成されている。当該構成により、第１経路を短くすることができるため、プリンタ１の小型化を実現することができる。
【００９３】
制御部１００は、間欠的搬送動作Ｓ２８と走査動作Ｓ２６，Ｓ３２とを行うように、記録モジュール５０ａ〜５０ｄのそれぞれを制御する。本実施形態によれば、このように用紙Ｐが間欠的に搬送されるシリアル式のプリンタ１において、プリンタ１の小型化を実現することができる。
【００９４】
制御部１００は、ｎ枚目の用紙Ｐに対して次の間欠的搬送動作を行った場合に当該用紙Ｐの先端が対応する合流判定位置Ｅ１〜Ｅ３に到達すると判断した場合に（Ｓ２５：ＹＥＳ）、当該記録モジュールを制御して、次の間欠的搬送動作Ｓ２８を行わずに、待機処理Ｓ３１，Ｓ３４を行う。特にシリアル式のプリンタ１において、上記のような制御を行うことで、プリンタ１の小型化を実現しつつ、経路の共通部分においてジャムが生じるのを防止することができる。
【００９５】
制御部１００は、ｎ枚目の用紙Ｐの後端が当該記録モジュールのモジュール内経路においてローラ対５３ａよりも下流側に位置すると判断した場合（Ｓ２９：ＹＥＳ）、走査動作Ｓ３２を行い、その後、待機処理Ｓ３４を行う。ｎ枚目の用紙Ｐの後端が当該記録モジュールのモジュール内経路においてローラ対５３ａよりも下流側に位置すると判断されたときに、記録完了前に待機処理を行う場合と、記録完了後に待機処理を行う場合とでは、前者の方が後者よりも記録品質が低下し易い。この理由の１つとして、用紙Ｐがインクの吸収に伴って変形すること、用紙Ｐの後端部分が上記ローラ対に挟持されずに自由になっていること等から、待機中に、用紙Ｐにおけるインク着弾部分の変形が進み、後端部分がヘッド５１に近づく方向に変形し、ヘッド５１と用紙Ｐとの間隔が変動し得ることが挙げられる。上記間隔が変動すると、インク着弾精度が低下し、記録品質が低下してしまう。また、待機前の記録画像と待機後の記録画像とで、用紙Ｐにおけるインクの浸透時間が異なること等から、画像間にズレが生じ得ることも、上記の理由として挙げられる。上記構成によれば、後者を採用したことで、記録品質の低下を抑制することができる。
【００９６】
特定記録媒体がＡ４サイズである。この構成によれば、特に汎用サイズであるＡ４サイズの用紙Ｐを扱う場合に、プリンタ１の小型化を実現することができる。
【００９７】
特定記録媒体がレターサイズである。この構成によれば、特に汎用サイズであるレターサイズの用紙Ｐを扱う場合に、プリンタ１の小型化を実現することができる。
【００９８】
制御部１００は、ｎ枚目の用紙Ｐの後端が当該記録モジュールのモジュール内経路においてローラ対５３ａよりも下流側に位置しないと判断した場合（Ｓ２９：ＮＯ）に、当該記録モジュールを制御して、走査動作Ｓ３２を行わずに、待機処理Ｓ３１を行う。ｎ枚目の用紙Ｐの後端が当該記録モジュールのモジュール内経路においてローラ対５３ａよりも下流側に位置しないと判断されたときに、走査動作を行った後に待機処理を行う場合と、走査動作を行わずに待機処理を行う場合とでは、前者の方が後者よりも記録品質が低下し易い。この理由の１つとして、前者の場合、用紙Ｐにおけるローラ対５３ａよりも下流側において、待機処理前の走査動作によってインクが着弾した部分が、待機処理中に変形し易いことが挙げられる。用紙Ｐにおけるヘッド５１と対向する部分は、上面をローラやリブで押さえることができないため、用紙Ｐにおける他の位置よりも、拘束力が弱く、変形し易い。上記構成によれば、後者を採用したことで、用紙Ｐにおけるインク着弾済みの部分が変形し難い状態で用紙Ｐを待機させることができるので、記録品質の低下を抑制することができる。
【００９９】
制御部１００は、待機処理Ｓ３１を行った後に、当該記録モジュールを制御して、走査動作Ｓ２６を行う。この構成によれば、待機処理後に走査動作によって記録を再開することができる。
【０１００】
受容部４は、Ａ３サイズの用紙Ｐを受容可能である。この構成によれば、Ａ３サイズの用紙Ｐを扱う場合に、プリンタ１の小型化や記録品質の低下抑制を実現することができる。
【０１０１】
制御部１００は、ｎ枚目の用紙Ｐよりも先に対応する合流判定位置Ｅ１〜Ｅ３を通過させるべき用紙Ｐがあると判断した場合（Ｓ３６：ＹＥＳ）、かつ、ｎ枚目の用紙Ｐの表面に対する記録が完了したと判断した場合（Ｓ２７：ＹＥＳ）に、待機処理Ｓ４０よりも前に、位置付け処理Ｓ３９を行う。例えば、図１０では、ｎ枚目の用紙Ｐｎよりも先にｎ−１枚目の用紙Ｐｎ−１が合流判定位置Ｅ１を通過すべきであるが、ｎ枚目の用紙Ｐｎの表面に対する記録がｎ−１枚目の用紙Ｐｎ―１の表面に対する記録よりも先に完了した場合、待機処理Ｓ４０よりも前に、ｎ枚目の用紙Ｐｎの先端を待機位置Ｃ２に位置付ける位置付け処理Ｓ３９を行う。これにより、ｎ枚目の用紙Ｐｎの後端は分岐位置Ａ１よりも下流側に位置することとなる。この構成によれば、ｎ枚目の用紙Ｐｎの先端を待機位置Ｃ１〜Ｃ４に位置付けることで、ｎ枚目の用紙Ｐの後端部分における用紙供給経路に存在する長さを短くすることができるため、ｎ＋１枚目の用紙Ｐｎ＋１の供給を速やかに開始することができる。さらに、用紙Ｐの先端を待機位置Ｃ１〜Ｃ４に位置付けておくことで、用紙Ｐを受容部４に受容させる動作を速やかに行うことができる。したがって、スループットを向上させることができる。
【０１０２】
制御部１００は、待機処理Ｓ３１，Ｓ３４，Ｓ４０を行う場合に、ヘッド５１をフラッシング領域６０Ｒ（図４参照）と対向する位置で待機させる。この構成によれば、待機中にフラッシングを行うことができる。これにより、メンテナンスに要する時間を低減することができる。
【０１０３】
制御部１００は、経路Ｒ１ｙ〜Ｒ４ｙにおける用紙Ｐの位置を把握し、当該把握結果に基づいて、Ｓ２５及びＳ２９を行う。この構成によれば、Ｓ２５及びＳ２９をより確実に行うことができる。
【０１０４】
制御部１００は、第２センサ６ａ〜６ｄから出力された信号に基づいて、経路Ｒ１ｙ〜Ｒ４ｙにおける用紙Ｐの位置を把握する。この構成によれば、Ｓ２５及びＳ２９をより精確に行うことができる。
【０１０５】
合流判定位置Ｅ１は、経路Ｒ１ｙ，Ｒ２ｙの共通部分において合流位置Ｂ１とローラ対３６ｂとの間に定められている。合流判定位置Ｅ２は、経路Ｒ２ｙ，Ｒ３ｙの共通部分において合流位置Ｂ２とローラ対３６ｃとの間に定められている。合流判定位置Ｅ３は、経路Ｒ３ｙ，Ｒ４ｙの共通部分において合流位置Ｂ３とローラ対３６ｄとの間に定められている。この構成によれば、ジャムを防止しつつ、スループットを向上させることができる。
【０１０６】
続いて、図１１を参照し、本発明の第２実施形態に係るインクジェットプリンタ２０１について説明する。
【０１０７】
第２実施形態に係るプリンタ２０１は、記録モジュールの数及び経路の構成を除き、第１実施形態に係るプリンタ１と同様の構成を有する。以下、第１実施形態に係るプリンタ１と同じ構成要素については説明を省略する。
【０１０８】
プリンタ２０１は、２つの記録モジュール５０ａ，５０ｂを含む。これに伴い、筐体１ａには、２つのカートリッジ（図示略）が着脱可能である。上流ユニット２１は、収容部３から記録モジュール５０ａ，５０ｂの各モジュール内経路Ｒａ，Ｒｂに向かって用紙Ｐが搬送される、２つの経路Ｒ１ｘ，Ｒ２ｘを形成している。下流ユニット３１は、各モジュール内経路Ｒａ，Ｒｂの下流端部から受容部４に向かって用紙Ｐが搬送される、２つの経路Ｒ１ｙ，Ｒ２ｙを形成している。
【０１０９】
第２実施形態においても、第１実施形態と同様の構成により、第１実施形態と同様の効果を得ることができる。
【０１１０】
以上、本発明の好適な実施の形態について説明したが、本発明は上述の実施の形態に限られるものではなく、特許請求の範囲に記載した限りにおいて様々な変更が可能なものである。
【０１１１】
記録モジュールについて：
・記録モジュールの数は、複数である限り、任意である。
・記録モジュールは、上述の実施形態では上から順に使用されるが、これに限定されず、例えば、下から順に使用されてもよいし、その他の順序で使用されてもよい。
・複数の記録モジュールの位置関係は、特に限定されない。例えば、上述の実施形態では４つの記録モジュール５０ａ〜５０ｄが副走査方向に位置をずらして配置されているが、複数の記録モジュールは、副走査方向に位置をずらさずに（即ち、副走査方向に関して同じ位置に）配置されてもよい。また、鉛直方向に隣接する２つの記録モジュールが、モジュール内経路の面内の方向であって副走査方向以外の方向（例えば、主走査方向）に関して、位置をずらして配置されてもよい。複数の記録モジュールは、鉛直方向に並んで配置されることに限定されず、水平方向並んで配置されてもよいし、或いは、一方向に並んで配置されなくてもよい。
・複数の記録モジュールのうち、いずれの記録モジュールを第１記録モジュール、第２記録モジュールと想定するかは、経路の構成等に応じて、適宜変更可能である。例えば、記録モジュール５０ａを第１記録モジュール、記録モジュール５０ｃを第２記録モジュールと想定してもよい。
・第１記録モジュールと第２記録モジュールとの間に他の記録モジュールが配置されてもよい。
・複数の記録モジュールは、互いに同じ構成であることに限定されない。例えば複数の記録モジュールは、記録可能な色、解像度、記録速度、記録方式、記録可能な記録媒体の種類、記録可能な記録媒体のサイズ等において、互いに異なる構成であってもよい。
・個別搬送部を構成する複数のローラ対は、同一の駆動源によって駆動されてもよいし、個別の駆動源によって駆動されてもよい。
・上述の実施形態において、ローラ対５３ｂがワンウェイローラでなく、ローラ対５３ａ，５３ｂが完全に同期駆動されてもよい。
【０１１２】
経路について：
・複数の経路間の交差角度、及び、１の経路における湾曲部の角度は、任意である。例えば、上述の実施形態において、ガイド２３と各ガイド２５ａ〜２５ｄとは、直交していないが、直交してもよい。同様に、ガイド３３と各ガイド３５ａ〜３５ｄとは、直交していないが、直交してもよい。
・複数の経路の位置関係、角度関係等も、任意である。例えば、上述の実施形態において、ガイド２３，３３の鉛直方向に対する角度は、互いに同じであってもよいし、互いに異なってもよい。
・経路の数、及び、各経路の構成は、記録モジュールの数や配置に応じて、変更可能である。
【０１１３】
切換部について：
・切換部を構成する複数の揺動部材は、同一の駆動源によって駆動されてもよいし、個別の駆動源によって駆動されてもよい。
・切換部は、上述の実施形態のような揺動部材を含むことに限定されない。例えば、切換部は、記録媒体に接触せずに静電気力やエアー等で記録媒体に外力を付与することで、経路を切り換えるように構成されてもよい。
【０１１４】
センサについて：
・第１センサ及び第２センサは、それぞれ、光センサ、メカセンサ、磁気センサ等、任意のセンサであってよい。
・第１及び第２検知位置は、それぞれ、収容部から各記録モジュールのモジュール内経路に向かって記録媒体が搬送される経路、各記録モジュールのモジュール内経路、及び、各記録モジュールのモジュール内経路から受容部に向かって記録媒体が搬送される経路のいずれかにおける、任意の位置に定められてよい。例えば、第１検知位置は、経路Ｒ１ｘにおける分岐位置Ａ２，Ａ３間の部分又は分岐位置Ａ１，Ａ２間の部分に定められてもよいし、分岐位置Ａ１，Ａ２，Ａ３と重複してもよい。
・第１センサ及び第２センサは、本発明において必須の構成要素ではなく、これらのいずれか又は全てを省略してもよい。
【０１１５】
制御部について：
・各判断処理における演算手法は、適宜変更可能である。例えば、第２検知位置６ａｐ〜６ｄｐが対応する合流判定位置Ｅ１〜Ｅ３と重複する場合、第２検知位置６ａｐ〜６ｄｐから対応する合流判定位置Ｅ１〜Ｅ３までの距離は０であるため、制御部は、搬送量を算出することなく、ｎ枚目の用紙Ｐの先端が第２検知位置６ａｐ〜６ｄｐに到達した時点で、ｎ枚目の用紙Ｐの先端が対応する合流判定位置Ｅ１〜Ｅ３に到達した（Ｓ２４：ＹＥＳ）と判断してよい。
・待機位置は、第１経路において最も上流側の共通搬送部よりも上流側の任意の位置であってよい。
・制御部は、待機処理において、記録媒体の先端を予め定められた待機位置に位置付ける必要はなく、記録媒体の先端を第１経路において最も上流側の共通搬送部よりも上流側の任意の位置に位置付ければよい。例えば、待機処理において、記録媒体の先端は合流判定位置よりも下流側に位置してもよい。
・制御部は、位置付け処理を行わなくてもよい。
・制御部は、待機処理を行った後に走査動作を行わなくてもよい。
・合流判定位置は、最も上流側の共通搬送部よりも上流側に定められる限りは、共通部分において合流位置と最も上流側の共通搬送部との間に定められることに限定されず、例えば、合流位置と重複してもよいし、合流位置よりも上流側に定められてもよい。
・第２判断処理や第３判断処理、さらにこれらの判断処理に基づく処理を、省略してもよい。
・フラッシングを行うタイミングは、任意である。例えば、走査動作毎、所定時間（数秒）毎、所定数の用紙の面に対する記録完了毎等に、フラッシングを行ってもよい。また、待機処理中に、フラッシングを行ってもよいし、フラッシングを行わなくてもよい。
・待機処理を行う場合に、ヘッドをフラッシング領域と対向する位置で待機させなくてもよい。フラッシング領域は、任意の位置に定められてよく、また、省略してもよい。
・複数の経路のうち、どの経路に対して優先的に記録媒体が搬送されるように制御するかは、任意である。
・制御部がどの記録媒体をどの経路に搬送するかを決定するタイミングは、任意である。当該タイミングは、記録指令を受信してから記録媒体の搬送を開始させるまでの間に限定されず、記録動作を開始させた後（例えば、前の記録媒体の搬送を開始させた後や、当該記録媒体の搬送を開始させてから切換部を動作させるまでの間）であってもよい。
・記録媒体の第１面及び第１面とは反対側の第２面（例えば、用紙Ｐの表面及び裏面）に対する記録を行うように制御してもよい。
【０１１６】
記録媒体について：
・特定記録媒体は、Ａ４サイズ又はレターサイズに限定されず、Ａ３サイズ、葉書サイズ、Ａ６サイズ等であってもよい。
・記録媒体は、用紙に限定されず、記録可能な任意の媒体であってよい。
【０１１７】
収容部及び受容部について：
・収容部及び受容部は、任意の位置に配置されてよい。例えば、受容部は、記録モジュールの配列方向に関して、収容部との間に、複数の記録モジュールの全てではなく一部のみを挟む位置に配置されてもよい。収容部及び受容部は、複数の記録モジュールに対して互いに同じ側に配置されてもよい。収容部及び／又は受容部は、記録モジュールの配列方向に関していずれの記録モジュールとも重ならない位置に配置されてもよい。
・収容部及び／又は受容部における記録媒体を支持する面は、水平方向に対して傾斜してもよい。
・受容部は、Ａ３サイズの記録媒体を受容不能であってもよい。
【０１１８】
その他：
・本発明は、シリアル方式に限定されず、ライン方式にも適用可能である。
・本発明は、プリンタに限定されず、ファクシミリやコピー機等にも適用可能である。
【符号の説明】
【０１１９】
１；２０１  インクジェットプリンタ（記録装置）
４  受容部
６ａ〜６ｄ  第２センサ（センサ）
５０ａ〜５０ｄ  記録モジュール
５１  ヘッド
５１ｂ  吐出口
５１Ｒ  可動領域
５２  キャリッジ
５３  個別搬送部
５３ａ  ローラ対
６０Ｒ  フラッシング領域
１００  制御部
Ｂ１〜Ｂ３  合流位置
Ｃ１〜Ｃ４  待機位置
Ｅ１〜Ｅ３  合流判定位置
Ｌ  距離
Ｐ  用紙（記録媒体）
Ｒ１ｘ〜Ｒ４ｘ  経路
Ｒａ〜Ｒｄ  モジュール内経路
【図１】
2015123731.tif 000003
【図２】
2015123731.tif 000004
【図３】
2015123731.tif 000005
【図４】
2015123731.tif 000006
【図５】
2015123731.tif 000007
【図６】
2015123731.tif 000008
【図７】
2015123731.tif 000009
【図８】
2015123731.tif 000010
【図９】
2015123731.tif 000011
【図１０】
2015123731.tif 000012
【図１１】
2015123731.tif 000013